(57)【要約】      （修正有）【課題】繰出しローラの取外しが容易であるロールペーパーホルダを提供する。【解決手段】ロールペーパーを回転自在に保持するホルダ本体部８と、ホルダ本体部８に上下方向に揺動自在に設けられたカバー部１８と、を備え、カバー部１８に開口２２が設けられ、この開口２２に繰出しローラ２８が配設され、繰出しローラ２８の作用によってロールペーパ−の先端部が繰り出されるロールペーパーホルダ。繰出しローラ２８に一対の支持軸部３０，３１が設けられ、カバー部１８に一対の支持受け部２６，２７が設けられ、一対の支持軸部３０，３１は、一対の支持受け部２６，２７に移動自在に受け入れられ、更に、一対の支持受け部２６，２７に対応して、一対の支持軸部３０，３１を取り外すための一対の取外し溝部３２，３３が設けられている。【選択図】図２
2012157469.tif 000002
【特許請求の範囲】
【請求項１】
ロールペーパーを回転自在に保持するホルダ本体部と、前記ホルダ本体部に上下方向に揺動自在に設けられたカバー部と、を備え、前記カバー部に開口が設けられ、この開口に前記ロールペーパーを繰り出すためのれた繰出しローラが配設され、前記繰出しローラの作用によって前記ロールペーパ−が回動されてその先端部が繰り出され、繰り出された前記ロールペーパーが前記カバー部の先端部により切断されるロールペーパーホルダにおいて、
前記繰出しローラの両端部には一対の支持軸部が設けられ、前記カバー部には前記一対の支持軸部に対応して一対の支持受け部が設けられ、前記一対の支持受け部は前記カバー部に対して斜め方向に延び、前記一対の支持軸部は、前記一対の支持受け部に移動自在に受け入れられ、更に、前記一対の支持受け部に対応して、前記一対の支持軸部を取り外すための一対の取外し溝部が設けられていることを特徴とするロールペーパーホルダ。
【請求項２】
前記カバー部の内面には、前記開口の両側に一対の支持壁部が設けられ、前記一対の支持壁部の対向する内側面に、前記一対の支持受け部及び前記一対の取外し溝部が設けられ、前記一対の取外し溝部は、前記一対の支持受け部の斜め方向に延びる中間部に接続されていることを特徴とする請求項１に記載のロールペーパーホルダ。
【請求項３】
前記一対の支持受け部における前記カバー部側の一端部には、前記カバー部の先端側に延びる空転受け部が設けられ、前記繰出しローラの前記一対の支持軸部が前記一対の支持受け部の前記空転受け部に移動すると、前記繰出しローラは前記ロールペーパーの外周面から離隔する方向に移動されることを特徴とする請求項１又は２に記載のロールペーパーホルダ。
【請求項４】
ロールペーパーを回転自在に保持するホルダ本体部と、前記ホルダ本体部に上下方向に揺動自在に設けられたカバー部と、を備え、前記カバー部に開口が設けられ、この開口に前記ロールペーパーを繰り出すための繰出しローラが配設され、前記繰出しローラの作用によって前記ロールペーパ−が回動されてその先端部が繰り出され、繰り出された前記ロールペーパーが前記カバー部の先端部により切断されるロールペーパーホルダにおいて、
前記繰出しローラの両端部には一対の支持軸部が設けられ、前記カバー部には前記一対の支持軸部に対応して一対の支持受け部が設けられ、前記一対の支持受け部は前記カバー部に対して斜め方向に延び、前記一対の支持軸部は、前記一対の支持受け部に移動自在に受け入れられ、前記一対の支持受け部の一端部には、前記カバー部の先端側に延びる空転受け部が設けられ、前記繰出しローラの前記一対の支持軸部が前記一対の支持受け部の前記空転受け部に移動すると、前記繰出しローラは前記ロールペーパーの外周面から離隔する方向に移動されることを特徴とするロールペーパーホルダ。
【発明の詳細な説明】
【技術分野】
【０００１】
本発明は、ロール状に巻かれたロールペーパーを繰り出して切断するためのロールペーパーホルダに関する。
【背景技術】
【０００２】
例えば、トイレ内の壁面には、ロール状のペーパー（所謂、トイレットペーパー）を保持するためのロールペーパーホルダが取り付けられている。このロールペーパーホルダは、ロールペーパーを回転自在に保持するホルダ本体部と、ホルダ本体部に揺動自在に設けられたカバー部と、を備え、カバー部がロールペーパーを上側から覆うように構成されている。ロールペーパーを使用する際には、ロールペーパーの先端部を手指で摘んで手前方向に繰り出し、繰り出されたロールペーパーをカバー部の先端で切断する。
【０００３】
しかし、このロールペーパーホルダにおいては、上述したように使用したときにロールペーパーの先端部がカバー部の裏側に隠れ、それ故に、次にロールペーパーを使用するときに、カバー部を手で持ち上げたり、ロールペーパーを手で回転させたりするなどして、ロールペーパーの先端部を探さなければならず、その使用が煩雑であった。
【０００４】
そこで、本出願人は、ロールペーパーを容易に繰り出すことのできるロールペーパーホルダを提案した（例えば、特許文献１参照）。このロールペーパーホルダでは、カバー部に開口が設けられ、この開口に繰出しローラが回転自在に配設されている。繰出しローラはロールペーパーの外周面に支持され、このローラを繰出し方向に回転させることによって、ロールペーパーが回転されてその先端部が繰り出され、これにより、ロールペーパーの先端部が垂れ下がるようになり、ロールペーパーの先端部を手指で容易に摘むことができる。
【先行技術文献】
【特許文献】
【０００５】
【特許文献１】特許第４６０１７１９号公報
【発明の概要】
【発明が解決しようとする課題】
【０００６】
しかしながら、上述したロールペーパーホルダでは、例えば、使用により繰出しローラが汚れたときなどに、この繰出しローラを取り外してきれいに洗浄する必要があるが、繰出しローラの両端部の一対の支持軸部がカバー部側の一対の支持受け部に単に受け入れられる構成である故に、繰出しローラの取外しが容易でなく、また洗浄後の繰出しローラの装着が容易でなく、繰出しローラの洗浄などが煩雑となる。このような問題は、繰出しローラを取り外して消毒するときなどにも存在する。
【０００７】
また、このロールペーパーホルダにおいては、繰出しローラを繰出し方向に回動させたときには、繰出しローラの一対の支持軸部がカバー側の一対の支持受け部内を一端側から他端側に移動し、これによって、カバー部が上方に揺動され、かかる状態にて、繰出しローラの作用によって、ロールペーパーの先端部が繰り出されて下方に垂れ下がるようになる。しかし、この繰出しローラを繰出し方向と反対方向に回動させたときには、繰出しローラがロールペーパーの外周面に接触乃至当接した状態で繰出しローラが回動され、それ故に、カバー部の先端部がロールペーパーの外周面に接触乃至当接した状態でロールペーパーが回動されるようになり、カバー部材の先端部によりロールペーパーに無理な力が作用する。
【０００８】
本発明の目的は、繰出しローラの取外しが容易であるロールペーパーホルダを提供することである。
【０００９】
また、本発明の他の目的は、繰出しローラを繰出し方向と反対方向に回動させてもロールペーパーに無理な力が作用することがないロールペーパーホルダを提供することである。
【課題を解決するための手段】
【００１０】
本発明の請求項１に記載のロールペーパーホルダは、ロールペーパーを回転自在に保持するホルダ本体部と、前記ホルダ本体部に上下方向に揺動自在に設けられたカバー部と、を備え、前記カバー部に開口が設けられ、この開口に前記ロールペーパーを繰り出すためのれた繰出しローラが配設され、前記繰出しローラの作用によって前記ロールペーパ−が回動されてその先端部が繰り出され、繰り出された前記ロールペーパーが前記カバー部の先端部により切断されるロールペーパーホルダにおいて、
前記繰出しローラの両端部には一対の支持軸部が設けられ、前記カバー部には前記一対の支持軸部に対応して一対の支持受け部が設けられ、前記一対の支持受け部は前記カバー部に対して斜め方向に延び、前記一対の支持軸部は、前記一対の支持受け部に移動自在に受け入れられ、更に、前記一対の支持受け部に対応して、前記一対の支持軸部を取り外すための一対の取外し溝部が設けられていることを特徴とする。
【００１１】
また、本発明の請求項２に記載のロールペーパーホルダでは、前記カバー部の内面には、前記開口の両側に一対の支持壁部が設けられ、前記一対の支持壁部の対向する内側面に、前記一対の支持受け部及び前記一対の取外し溝部が設けられ、前記一対の取外し溝部は、前記一対の支持受け部の斜め方向に延びる中間部に接続されていることを特徴とする。
【００１２】
また、本発明の請求項３に記載のロールペーパーホルダでは、前記一対の支持受け部における前記カバー部側の一端部には、前記カバー部の先端側に延びる空転受け部が設けられ、前記繰出しローラの前記一対の支持軸部が前記一対の支持受け部の前記空転受け部に移動すると、前記繰出しローラは前記ロールペーパーの外周面から離隔する方向に移動されることを特徴とする。
【００１３】
更に、本発明の請求項４に記載のロールペーパーホルダは、ロールペーパーを回転自在に保持するホルダ本体部と、前記ホルダ本体部に上下方向に揺動自在に設けられたカバー部と、を備え、前記カバー部に開口が設けられ、この開口に前記ロールペーパーを繰り出すための繰出しローラが配設され、前記繰出しローラの作用によって前記ロールペーパ−が回動されてその先端部が繰り出され、繰り出された前記ロールペーパーが前記カバー部の先端部により切断されるロールペーパーホルダにおいて、
前記繰出しローラの両端部には一対の支持軸部が設けられ、前記カバー部には前記一対の支持軸部に対応して一対の支持受け部が設けられ、前記一対の支持受け部は前記カバー部に対して斜め方向に延び、前記一対の支持軸部は、前記一対の支持受け部に移動自在に受け入れられ、前記一対の支持受け部の一端部には、前記カバー部の先端側に延びる空転受け部が設けられ、前記繰出しローラの前記一対の支持軸部が前記一対の支持受け部の前記空転受け部に移動すると、前記繰出しローラは前記ロールペーパーの外周面から離隔する方向に移動されることを特徴とする。
【発明の効果】
【００１４】
本発明の請求項１に記載のロールペーパーホルダによれば、繰出しローラの両端部に一対の支持軸部が設けられ、またカバー部側に一対の支持受け部が設けられ、一対の支持軸部が一対の支持受け部に移動自在に受け入れられているので、繰出しローラを繰出し方向に回動させると、一対の支持軸部が一対の支持受け部の一端部から他端部に移動し、この移動に伴って、カバー部が上方に揺動されてその先端部がロールペーパーから離れ、かかる状態で繰出しローラの作用によってロールペーパーが繰出し方向に回動される。従って、カバー部の先端部がロールペーパーに作用することがなく、ロールペーパーをスムースに回動させてその先端部を下方に繰り出すことができる。
【００１５】
また、カバー部側の一対の支持受け部に一対の取外し溝部が設けられているので、一対の支持受け部に受け入れられた繰出しローラの一対の支持軸部を一対の支持受け部から一対の取外し溝部を通して容易に取り外すことができ、またこの一対の取外し溝部を通して一対の支持受け部に取り付けることができ、かくして、繰出しローラの取付け、取外しを容易に行うことができる。
【００１６】
また、本発明の請求項２に記載のロールペーパーホルダによれば、カバー部の開口の両側に一対の支持壁部が設けられ、一対の支持壁部の対向する内側面に一対の支持受け部及び一対の取外し溝部が設けられているので、カバー部の開口に繰出しローラを回転自在に配置することができる。また、一対の取外し溝部は、一対の支持受け部の斜め方向に延びる中間部に接続されているので、ロールペーパーの繰出しを行わない状態（即ち、一対の支持軸部が一対の支持受け部の一端部に位置する状態）やロールペーパーを繰り出している状態（即ち、一対の支持軸部が一対の支持受け部の他端部に位置する状態）においては、繰出しローラの一対の支持軸部が一対の取外し溝部を通して外れることはない。
【００１７】
また、本発明の請求項３及び請求項４に記載のロールペーパーホルダによれば、カバー部側の一対の支持受け部の一端部（カバー部側の一端部）に空転受け部が設けられているので、繰出しローラを繰出し方向と反対方向に回動すると、繰出しローラの一対の支持軸部が一対の空転受け部に移動され、かく移動することによって、繰出しローラはロールペーパーの外周面から離隔する方向に移動され、空転時に繰出しローラがロールペーパーに作用することはない。
【図面の簡単な説明】
【００１８】
【図１】本発明に従うロールペーパーホルダの一実施形態を示す斜視図。
【図２】図１のロールペーパーホルダの一部を分解して示す分解斜視図。
【図３】図１のロールパーパーホルダにおいて、繰出しローラを繰出し方向に回動させる前の状態を示す断面図。
【図４】図１のロールペーパーホルダにおいて、繰出しローラを繰出し方向に回動させた状態を示す断面図。
【図５】図１のロールペーパーホルダにおいて、繰出しローラを繰出し方向と反対方向に回動させた状態を示す断面図。
【発明を実施するための形態】
【００１９】
以下、添付図面を参照して、本発明に従うロールペーパーホルダの一実施形態について説明する。図１及び図２において、図示のロールペーパーホルダ２は、ロールペーパー６（例えば、ロール状のトイレットペーパー）を回転自在に保持するためのホルダ本体部８を備えている。このホルダ本体部８は、取付壁部１０と、取付壁部１０の両端部より前方向（図１及び図２において右下方）に延びる一対の側壁部１２，１３とを有し、取付壁部１０は、取付ねじ、両面テープ、接着剤などによって、例えばトイレ内の壁面に取り付けられる。
【００２０】
一対の側壁部１２，１３の内側面における下部には、一対の支持部材１４，１５が取り付けられている。一対の支持部材１４，１５は、相互に対向して配設されるとともに、側壁部１２，１３から実質上水平に延びる支持位置（図１及び図２に示す位置）と、この支持位置から上方に揺動した揺動位置（図示せず）との間を揺動自在で、ばね部材の如き偏倚手段（図示せず）によって上記支持位置に保持されるように構成されている。
【００２１】
このように構成されているので、ロールペーパー６を一対の側壁部１２，１３の間に位置付けて下方から差し入れると、一対の支持部材１４，１５がこのロールペーパー６によって上方に押し上げられ、このロールペーパー６を所要の通りに差し入れると、一対の支持部材１４，１５が偏倚手段の作用によって上記支持位置に戻ってロールペーパー６の芯筒４内に挿入され、（図３〜図５参照）、このように下方から差し入れることによって、ロールペーパー６を一対の支持部材１４，１５（即ち、ホルダ本体部８）に着脱自在に装着することができる。
【００２２】
一対の側壁部１２，１３の間にカバー部１８が揺動自在に装着されている。この形態では、支持軸１６が一対の側壁部１２，１３の後上端部間に装着され、カバー部１８の後端部が、この支持軸１６を介して上下方向に揺動自在に支持されている。カバー部１８は略平板状に形成され、その先端部が下方に向けて弧状に湾曲されている。カバー部１８の先端部２０は、繰り出されたロールペーパー６を切断するための切断部として機能する。
【００２３】
カバー部１８の前後方向（図１及び図２において左上から右下の方向、図３において左右方向）中央部より先端側には、矩形状の開口２２が設けられ、かかる開口２２に、後述するように繰出しローラ２８配設される。開口２２の両端部には下方に突出する支持壁部２４，２５が設けられ、これら一対の支持壁部２４，２５は、相互に対向して設けられている。支持壁部２４，２５の対向する内側面には、細長い支持受け部２６，２８が設けられ、これら支持受け部２６，２７は、カバー部１８の後端側に且つカバー部１８に対して斜め下方に直線状に延びている。本実施形態では、支持受け部２６，２７のカバー部１８に対する角度θ（図３参照）は約５０°に設定されている。
【００２４】
カバー部１８の開口２２には、ロールペーパー６を繰り出すための繰出しローラ２８が配設されている。繰出しローラ２８の両端部には、軸方向外方に延びる短円筒状の支持軸部３０，３１が設けられている。このような支持軸部３０，３１は、繰出しローラ２８を貫通して設けるようにしてもよく、或いは繰出しローラ２８の両端面に別個に設けるようにしてもよい。繰出しローラ２８の支持軸部３０，３１は、支持壁部２４，２５の支持受け部２６，２７にそれらに沿って移動自在に受け入れられており、これにより繰出しローラ２８は、ホルダ本体８に装着されたロールペーパー６の外周面に接触乃至当接した状態に保持されるとともに、後述するように、カバー部１８に対して回転自在に且つ斜め方向に移動自在に支持される。
【００２５】
本実施形態では、繰出しローラ２８の直径は、例えば３０〜５０ｍｍ、例えば約４０ｍｍ程度に設定され、また支持軸部３０，３１が支持受け部２６，２７の上端部から下端部まで相対的に移動する距離は、例えば８〜１５ｍｍ、例えば約１０ｍｍ程度に設定される。また、繰出しローラ２８の材質としては、グリップ性の高いもの、例えばウレタン樹脂などが好ましく、またその表面には、滑り止め加工を施すのが好ましい。
【００２６】
この実施形態においては、更に、カバー部１８側の支持受け部２６，２７に、更に、取外し溝部３２，３３及び空転受け部３４，３５が設けられている。取外し溝部３２，３３は、繰出しローラ２８を取り外しするとき、また繰出しローラ２８を装着するときに利用され、その一端側（先端側）が支持壁部２４，２５の下側面に解放され、その他端部（後端部）が支持受け部２６，２７に接続されている。
【００２７】
取外し溝部３２，３３は、斜め方向に延びる支持受け部２６，２７の長手方向中間部に接続され、この接続部から下方に弧状に延びており、このように中間部に接続することによって、後述する記載から理解されるように、繰出しローラ２８がロールペーパー６に接触乃至当接する状態（図１及び図３の状態）、また繰出しローラ２８により繰り出ししている状態（図４に示す状態）においては、繰出しローラ２８の一対の支持軸部３０，３１が取外し溝部３２，３３の後端部（即ち、支持受け部２６，２７との接続部）から外れた領域に位置し、これらの状態における繰出しローラ２８の離脱を防止することができる。
【００２８】
また、一対の空転受け部３４，３５は、一対の支持受け部２６，２７の一端部（即ち、上端部）に設けられ
、この上端部から略水平にカバー部１８に略平行に延びている。空転受け部３４，３５は直線状に延び、その長さ（換言すると、支持軸部３０，３１の移動距離）は、例えば５〜１５ｍｍ、例えば１０ｍｍ程度に設定される。
【００２９】
次に、図１及び図２とともに図３〜図５をも参照して、この実施形態のロールペーパーホルダ２の使用方法について説明する。ホルダ本体部８に新しいロールペーパー６を装着すると、図３に示す状態となる。即ち、カバー部１８は略水平方向に延び、その先端部２０はロールペーパー６の外周面に接触乃至当接した状態に保たれる。また、繰出しローラ２８はロールペーパー６の外周面に接触乃至当接し、このように接触乃至当接した状態では、繰出しローラ２８の支持軸部３０，３１は、図３に示すように、カバー部１８側の支持受け部２６，２７の一端部（図２及び図３において上端部）に位置付けられる。このとき、繰出しローラ２８は、ロールペーパー６の頂部よりもやや前側にて支持される。
【００３０】
ロールペーパー６を繰り出すには、繰出しローラ２８を手指などで矢印Ｍ（図３参照）で示す後側に押し込みながら矢印Ａ（図３及び図４参照）で示す繰出し方向（図３及び図４において反時計方向）に回動させればよい。繰出しローラ２８を後側に押し込むと、図４に示すように、繰出しローラ２８の一対の支持軸部３０，３１がカバー部１８側の一対の支持受け部２６，２７内をこれに沿ってその上端部から下端部に相対的に移動し、かかる移動に伴ってカバー部１８が支持軸１６を中心として矢印Ｏ（図３参照）で示す上方に揺動され、これによって、カバー部１８の先端部２０がロールペーパー６の外周面から離れる。そして、この状態で繰出しローラ２８を繰出し方向に回動すると、図４で示すように、繰出しローラ２８とロールペーパー６との間の摩擦によって、ロールペーパー６が矢印Ｐで示す繰出し方向に回転され、かかる回動によって、ロールペーパー６の先端部が下方に垂れ下がり、このようにしてロールペーパー６の先端部を繰り出すことができる。
【００３１】
一対の支持軸部３０，３１が移動するときには、一対の支持受け部２６，２７の上側面（図３において左側の側面）に接触乃至当接しながら移動するので、かかる一対の支持軸部３０，３１が取外し溝部３２，３３にはまり込むことがなく、それらの移動をスムースに行うことができる。また、繰出しローラ２８を繰出し方向に回動するときには、カバー部１８の先端部２０がロールペーパー６の外周面から離れているので、ロールペーパー６の回転時にその先端部２０がロールペーパー６に作用することがなく、ロールペーパー６をスムースに回転させてきれいに繰り出すことができる。
【００３２】
ロールペーパー６の先端部を所望量繰り出した後に繰出しローラ２８から手指などを離すと、カバー部１８がその自重によって支持軸１６を中心として下方に揺動され、図３に示す状態になり、カバー部１８の先端部２０がロールペーパー６の外周面に接触乃至当接される。これに伴って、繰出しローラ２８が前方向（図３において右側）に押し戻され、一対の支持軸部３０，３１が一対の支持受け部２６，２７の他端部（図３及び図４において下端部）から一端部（図３及び図４において上端部）に相対的に移動される。その後、垂れ下がったロールペーパー６の先端部３２を手指で摘み、カバー部１８を手で押さえながらロールペーパー６の繰り出された部分を引っ張ってカバー部１８の先端部２０で切断し、このようにして所望量のペーパーを得ることができる。
【００３３】
繰出しローラ２８を矢印Ｂ（図３及び図５参照）で示す繰出し方向と反対方向（図３及び図５において時計方向）に誤って回動したときには、図５に示すように、繰出しローラ２８の一対の支持軸部３０，３１がカバー部１８側の一対の支持受け部２６，２７から空転受け部３４，３５内に移動し、かかる移動に伴って繰出しローラ２８がロールペーパー６の外周面から離れ、かかる状態にて繰出しローラ２８が空転する。従って、誤操作したときには、空転受け部３４，３５にて繰出しローラ２８が空転するのみで、ロールペーパー６が回動してその先端部が繰り出されることはなく、ロールペーパー６の先端部がその外周面に巻き付くなどの不都合が生じることはない。
【００３４】
また、洗浄などのために繰出しローラ２８を取り外すには、カバー部１８を手で持ち上げ、支持軸１６を中心として矢印Ｏで示す方向に大きく揺動してカバー部１８の内面側を外側に露呈させ、かかる状態で繰出しローラ２８を取り外せばよい。この取外しは、繰出しローラ２８を手で持ち、この繰出しローラ２８を支持受け部２６，２７及び取外し溝部３２，３３に沿って移動させればよい。かく移動させると、繰出しローラ２８の一対の支持軸部３０，３１がカバー部１８側の一対の支持受け部２６，２７及び一対の取外し溝部３２，３３を通して移動され、かくして繰出しローラ２８をカバー部１８から容易に取り外すことができる。尚、取り外した繰出しローラ２８（又は新しい繰出しローラ１８）を装着するには、上述したと反対に、カバー部１８を持ち上げた状態にて、繰出しローラ１８の一対の支持軸部３０，３１を一対の取外し溝部３２，３３を通して一対の支持受け部２６，２７に挿入すればよく、簡単且つ容易に行うことができる。
【００３５】
以上、本発明に従うロールペーパーホルダの各種実施形態について説明したが、本発明はかかる実施形態に限定されるものではなく、本発明の範囲を逸脱することなく種々の変形乃至修正が可能である。
【００３６】
例えば、カバー部１８の支持壁部２４，２５に設けられる支持受け部２６，２７及び取外し溝部３２，３３は、支持壁部２４，２５の対向する内面側に設けるようにしてもよく、或いは支持壁部２４，２５に貫通的に設けるようにしてもよい。
【００３７】
また、例えば、上述した形態では、ロールペーパー６が芯筒４の周囲にロール状に巻かれるタイプのものに適用して説明したが、このようなものに限定されず、芯筒４を有さずにロール状に巻かれたタイプのもの（所謂、芯無しタイプのもの）にも同様に適用することができる。
また、例えば、上述した形態では、ロールペーパーホルダ２をトイレットペーパーを繰り出して切断するためのものに適用したが、例えば事務用のロールペーパーを繰り出して切断するためのものにも同様に適用することもできる。
【符号の説明】
【００３８】
２  ロールペーパーホルダ
６   ロールペーパー
８  ホルダ本体部
１８  カバー部
２２  開口
２６，２７  支持受け部
２８  繰出しローラ
３０，３１  支持軸部
３２，３３  支持受け部
３４，３５  空転受け部
【図１】
2012157469.tif 000003
【図２】
2012157469.tif 000004
【図３】
2012157469.tif 000005
【図４】
2012157469.tif 000006
【図５】
2012157469.tif 000007
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
ロールペーパーを回転自在に保持するホルダ本体部と、前記ホルダ本体部に上下方向に揺動自在に設けられたカバー部と、を備え、前記カバー部に開口が設けられ、この開口に前記ロールペーパーを繰り出すための繰出しローラが配設され、前記繰出しローラの作用によって前記ロールペーパ−が回動されてその先端部が繰り出され、繰り出された前記ロールペーパーが前記カバー部の先端部により切断されるロールペーパーホルダにおいて、
前記繰出しローラの両端部には一対の支持軸部が設けられ、前記カバー部には前記一対の支持軸部に対応して一対の支持受け部が設けられ、前記一対の支持受け部は前記カバー部に対して斜め方向に延び、前記一対の支持軸部は、前記一対の支持受け部に移動自在に受け入れられ、更に、前記一対の支持受け部に対応して、前記一対の支持軸部を取り外すための一対の取外し溝部が設けられていることを特徴とするロールペーパーホルダ。
【請求項２】
前記カバー部の内面には、前記開口の両側に一対の支持壁部が設けられ、前記一対の支持壁部の対向する内側面に、前記一対の支持受け部及び前記一対の取外し溝部が設けられ、前記一対の取外し溝部は、前記一対の支持受け部の斜め方向に延びる中間部に接続されていることを特徴とする請求項１に記載のロールペーパーホルダ。
【請求項３】
前記一対の支持受け部における前記カバー部側の一端部には、前記カバー部の先端側に延びる空転受け部が設けられ、前記繰出しローラの前記一対の支持軸部が前記一対の支持受け部の前記空転受け部に移動すると、前記繰出しローラは前記ロールペーパーの外周面から離隔する方向に移動されることを特徴とする請求項１又は２に記載のロールペーパーホルダ。
【請求項４】
ロールペーパーを回転自在に保持するホルダ本体部と、前記ホルダ本体部に上下方向に揺動自在に設けられたカバー部と、を備え、前記カバー部に開口が設けられ、この開口に前記ロールペーパーを繰り出すための繰出しローラが配設され、前記繰出しローラの作用によって前記ロールペーパ−が回動されてその先端部が繰り出され、繰り出された前記ロールペーパーが前記カバー部の先端部により切断されるロールペーパーホルダにおいて、
前記繰出しローラの両端部には一対の支持軸部が設けられ、前記カバー部には前記一対の支持軸部に対応して一対の支持受け部が設けられ、前記一対の支持受け部は前記カバー部に対して斜め方向に延び、前記一対の支持軸部は、前記一対の支持受け部に移動自在に受け入れられ、前記一対の支持受け部の一端部には、前記カバー部の先端側に延びる空転受け部が設けられ、前記繰出しローラの前記一対の支持軸部が前記一対の支持受け部の前記空転受け部に移動すると、前記繰出しローラは前記ロールペーパーの外周面から離隔する方向に移動されることを特徴とするロールペーパーホルダ。
【手続補正２】
【補正対象書類名】明細書
【補正対象項目名】００２３
【補正方法】変更
【補正の内容】
【００２３】
カバー部１８の前後方向（図１及び図２において左上から右下の方向、図３において左右方向）中央部より先端側には、矩形状の開口２２が設けられ、かかる開口２２に、後述するように繰出しローラ２８配設される。開口２２の両端部には下方に突出する支持壁部２４，２５が設けられ、これら一対の支持壁部２４，２５は、相互に対向して設けられている。支持壁部２４，２５の対向する内側面には、細長い支持受け部２６，２７が設けられ、これら支持受け部２６，２７は、カバー部１８の後端側に且つカバー部１８に対して斜め下方に直線状に延びている。本実施形態では、支持受け部２６，２７のカバー部１８に対する角度θ（図３参照）は約５０°に設定されている。
【手続補正３】
【補正対象書類名】明細書
【補正対象項目名】００３２
【補正方法】変更
【補正の内容】
【００３２】
ロールペーパー６の先端部を所望量繰り出した後に繰出しローラ２８から手指などを離すと、カバー部１８がその自重によって支持軸１６を中心として下方に揺動され、図３に示す状態になり、カバー部１８の先端部２０がロールペーパー６の外周面に接触乃至当接される。これに伴って、繰出しローラ２８が前方向（図３において右側）に押し戻され、一対の支持軸部３０，３１が一対の支持受け部２６，２７の他端部（図３及び図４において下端部）から一端部（図３及び図４において上端部）に相対的に移動される。その後、垂れ下がったロールペーパー６の先端部を手指で摘み、カバー部１８を手で押さえながらロールペーパー６の繰り出された部分を引っ張ってカバー部１８の先端部２０で切断し、このようにして所望量のペーパーを得ることができる。
【手続補正４】
【補正対象書類名】明細書
【補正対象項目名】００３４
【補正方法】変更
【補正の内容】
【００３４】
また、洗浄などのために繰出しローラ２８を取り外すには、カバー部１８を手で持ち上げ、支持軸１６を中心として矢印Ｏで示す方向に大きく揺動してカバー部１８の内面側を外側に露呈させ、かかる状態で繰出しローラ２８を取り外せばよい。この取外しは、繰出しローラ２８を手で持ち、この繰出しローラ２８を支持受け部２６，２７及び取外し溝部３２，３３に沿って移動させればよい。かく移動させると、繰出しローラ２８の一対の支持軸部３０，３１がカバー部１８側の一対の支持受け部２６，２７及び一対の取外し溝部３２，３３を通して移動され、かくして繰出しローラ２８をカバー部１８から容易に取り外すことができる。尚、取り外した繰出しローラ２８（又は新しい繰出しローラ２８）を装着するには、上述したと反対に、カバー部１８を持ち上げた状態にて、繰出しローラ２８の一対の支持軸部３０，３１を一対の取外し溝部３２，３３を通して一対の支持受け部２６，２７に挿入すればよく、簡単且つ容易に行うことができる。
【手続補正５】
【補正対象書類名】明細書
【補正対象項目名】００３８
【補正方法】変更
【補正の内容】
【００３８】
２  ロールペーパーホルダ
６   ロールペーパー
８  ホルダ本体部
１８  カバー部
２２  開口
２６，２７  支持受け部
２８  繰出しローラ
３０，３１  支持軸部
３２，３３  取外し溝部
３４，３５  空転受け部